【手続補正書】
【提出日】平成30年6月22日(2018.6.22)
【手続補正１】
【補正対象書類名】明細書
【補正対象項目名】０００９
【補正方法】変更
【補正の内容】
【０００９】
該偏心型ＭＩＲＣＯ  ＵＳＢコネクタメス９０はビニール台体９１、一列５個の端子９２及び金属筐体９３を設置する。そのうち該ビニール台体９１一体は、基台９１１及び舌板９１２を設置する。該舌板９１２は該基台９１１前端から突出し、該一列の端子台９２は該ビニール台体９１にインサート成形設置し、該一列の端子台９２は、該舌板９１２下面に動かない接触部９２１をそれぞれ設置し、該金属筐体９３は該ビニール台体９１を被覆し、該金属筐体９３内の前段には連接槽９５を形成する。該舌板９１２は連接槽９５上寄りに水平に位置し、該連接槽９５を該舌板９１２に対応する二面に小スペース９５１及び一大スペース９５２を形成する。
【手続補正２】
【補正対象書類名】明細書
【補正対象項目名】００５９
【補正方法】変更
【補正の内容】
【００５９】
該接続部３２後端の接続口は該基台３１の接合部３０４に接続する。
【手続補正３】
【補正対象書類名】明細書
【補正対象項目名】０１０９
【補正方法】変更
【補正の内容】
【０１０９】
本実施例のパッチコードは、二接点切り換え整合装置２５０を設置しなければならない。双方向両面ＵＳＢ３．０コネクタオス１０３のＵＳＢ３．０接触インターフェイスと双方向両面コネクタオス１２３の二接触インターフェイスを整合して相互に切り換えることに拠って、オスメス異なる接点の接触インターフェイスの接点は整合し相互に切り換える。
【手続補正４】
【補正対象書類名】明細書
【補正対象項目名】０１１３
【補正方法】変更
【補正の内容】
【０１１３】
図３８は、本発明の第十三実施例であり、おおよそは第十二実施例と同じであり、異なる点として、該絶縁台３０の基台前端の接合部３０４は実体とする。該接続部３２の長さは、第十二実施例より長くなければならず、且つ二列の第一端子４０の延長部４３のバネ運動モーメントアームも長くすることで、二列の第一端子４０の延長部の弾性を向上させる。しかしながら、接触部の順方向力は小さくなる。
【手続補正５】
【補正対象書類名】特許請求の範囲
【補正対象項目名】全文
【補正方法】変更
【補正の内容】
【特許請求の範囲】
【請求項１】
双方向コネクタにおいて、そのうち、
相互に嵌合する基台及び接続部を設置し、該接続部は上下に相対する二連接板を設置し且つ両側板を設置して該二連接板を連接することで掛合筐体となり、該二連接板の反対面はそれぞれ連接面を設置し、該二連接面の間には連接槽を形成するもので、そのうち少なくとも一連接板は連接面が凹んだバネ運動スペースを設置し、該接続部後端は該基台前端に嵌合定位する絶縁台と、
該絶縁台に設置し、該各端子組は少なくとも一列の端子台を設置し、該端子は固定部及び延長部を設置し、該固定部は該基台と固定し、該延長部は固定部前端に連接し、該延長部は連接面のバネ運動スペースまで延び且つ接触部を設置することで該連接面が突出し、該接触部は上下にバネ運動し、該各端子組の端子の接触部はすべて該そのうちの連接面から該連接槽まで突出する少なくとも一端子組と、
該絶縁台を被覆し且つ四面包主筐体を設置し、該四面包主筐体は該接続部を遮蔽し且つ両者は接続構造を形成し、該接続構造の形状は接続したコネクタに正反双方向に定位し、該金属筐体と該二連接板は二接触インターフェイス基板を形成し、該接触インターフェイス基板の高さは該金属筐体の外表面から該連接面までの垂直距離である金属筐体を含むことを特徴とする双方向コネクタ。
【請求項２】
双方向コネクタにおいて、そのうち、
基台及び接続部を設置し、該接続部は該基台前端に設置し、該接続部は上下に相対する二連接板を設置し、該二連接板の反対面はそれぞれ連接面を設置し、該二連接面の間には連接槽を形成する絶縁台と、
該絶縁台に設置し、各端子組は少なくとも一列の端子台を設置し、該端子は固定部及び延長部を設置し、該固定部は該基台と固定し、該延長部は固定部前端に連接し、該延長部は連接面まで伸び且つ接触部を設置し、該各端子組の端子の接触部は皆そのうちの一連接面に露出する少なくとも一端子組と、
該絶縁台を被覆し且つ四面包主筐体を設置し、該四面包主筐体は該接続部を遮蔽し且つ両者は接続構造を形成し、該接続構造の形状は接続したコネクタに正反双方向に定位する金属筐体と、
金属材であり且つ該金属筐体後段及び該絶縁台後段を被覆し、内部は納置スペースを形成し且つ前端には接続口を設置し、該接続口は該金属筐体後段を嵌合し、上下にそれぞれ継ぎ目がない納置室を形成し、該上下継ぎ目がない納置室は、該納置スペースを形成する後シールドケースを含むことを特徴とする双方向コネクタ。
【請求項３】
双方向コネクタにおいて、そのうち、
基台及び接続部を設置し、該接続部は該基台前端に設置し、該接続部は上下に相対する二連接板を設置し、該二連接板の反対面はそれぞれ連接面を設置し、該二連接面の間には連接槽を形成する絶縁台と、
該絶縁台に設置し、該端子組は少なくとも一列の端子台を設置し、該端子は固定部及び延長部を設置し、該固定部は該基台と固定し、該延長部は固定部前端に連接し、該延長部は連接面まで伸び且つ接触部を設置し、該各端子組の端子の接触部は皆そのうちの一連接面に露出する少なくとも一端子組と、
該絶縁台を被覆し且つ四面包主筐体を設置し、該四面包主筐体は該接続部を遮蔽し且つ両者は接続構造を形成し、該接続構造の形状は接続したコネクタに正反双方向に定位する金属筐体を含み、
該接続部の二連接板のうち少なくとも一つに金属材のアース部品をインサート成形設置し、該アース部品は該金属筐体に接触し、且つ該連接面から連接槽まで突出した少なくとも一つの接触部を設置し、該アース部品の少なくとも一つの接触部は上下にバネ運動することを特徴とする双方向コネクタ。
【請求項４】
前記少なくとも一端子組は、二端子組であり、該二端子組の端子の接触部はそれぞれ該二連接面に位置することを特徴とする請求項１もしくは２もしくは３記載の双方向コネクタ。
【請求項５】
前記二接触インターフェイス基板の高さは、すべてＵＳＢ協会規範の最小高さ規格の偏心型コネクタオスのインターフェイススリーブ接続基板より低く、且つＵＳＢ協会規範の最小高さ規格の偏心型コネクタメスの連接槽の小スペースより高く、該偏心型コネクタオスは該偏心型コネクタメスに接続し、該偏心型コネクタメスは連接槽を設置し、該連接槽の上下方向の偏向一側には舌板を設置し、該舌板は二面に対応して大スペース及び該小スペースを形成し、該舌板は該大スペースの一面に対応して一組の接触部を設置し、該偏心型コネクタオスの連接部はスリーブ接続槽及び該インターフェイススリーブ接続基板を設置し、該スリーブ接続槽は該舌板を嵌合し、該インターフェイススリーブは基板を接続して該大スペースを嵌合することを特徴とする請求項１記載の双方向コネクタ。
【請求項６】
前記少なくとも一連接面は前後二列の接触部を突出して設置し、該二列の接触部は上下にバネ運動し、該二列の接触部のうちの少なくとも一列接触部は該端子組の接触部であることを特徴とする請求項１記載の双方向コネクタ。
【請求項７】
前記少なくとも一端子組は二端子組であり、該二端子組の端子の接触部はそれぞれ該二連接面が突出し、該絶縁台の基台は直接重合した第一基台及び第二基台を設置し、該二端子組はそれぞれ該第一、二基台にインサート成形固定設置することを特徴とする請求項１記載の双方向コネクタ。
【請求項８】
前記双方向コネクタは、以下ａからｊのうちの一もしくは一以上を組み合わせたものであり、
ａ．そのうち該連接板の一列のバネ運動スペースには絶縁層構造の底面を備えて該金属筐体と分け、
ｂ．そのうち該基台前方は接合部を設置し、該接続部の前端は差込口で後端は接続口とし、該接続口は該接合部を嵌合し、
ｃ．そのうち該基台前方は接合部を設置し、該接続部の前端は差込口で後端は接続口とし、該接続口は該接合部を嵌合し、該接合部の両側は前向きに突出した側部を設置し、且つ両側面部の間は切欠口を成形し、且つ該接続口と該接合部にはそれぞれ掛合固定構造を設置して相互に掛合固定し、
ｄ．そのうち該絶縁台は二金属材のシールドアース片を定位設置し、該接続部の二連接板の前端もしくは前端の近くにそれぞれ開口を設置し、該二シールドアース片は間隔を形成し且つ各々は少なくとも一接触部を設置して該二連接板の開口に挿入して該二連接面に突出し且つ上下にバネ運動し、
ｅ．そのうち該接続部は上、下筐体が接合して構成され、該上、下筐体はそれぞれ金属材のシールドアース片をインサート成形し、該二シールドアース片はそれぞれ少なくとも一接触部を設置して該二連接面から突出し、該二シールドアース片の少なくとも一接触部は上下にバネ運動し、
ｆ．そのうち該絶縁台の基台の中間には金属仕切板を設置し、該金属仕切板の両側にはそれぞれ弾性フックを設置し、該二弾性フックは左右にバネ運動し且つ自由端の近くにはそれぞれフック凸部を設置して該連接槽の二側に位置し、該接続部両側にはそれぞれ開口を設置し、該二弾性フックが左右にバネ運動すると該二開口が該二弾性フックを位置移動させ、
ｇ．そのうち該接続部は上、下筐体が接合して構成され、該上、下筐体はそれぞれ補強片をインサート成形し、
ｈ．そのうち該接続部の左右両側にはそれぞれ金属材のフックを設置し、該フックは、接続するコネクタのフックと掛合固定し、
ｉ．そのうち少なくとも一つの連接板には、複数の間隔の仕切りを設置して一列のバネ運動スペースに分け、
ｊ．そのうち少なくとも一つの連接板には、複数の間隔の仕切りを設置して一列のバネ運動スペースに分け、該一列のバネ運動スペースには絶縁層構造の底面を備えて該金属筐体と分けることを特徴とする請求項１もしくは７記載の双方向コネクタ。
【請求項９】
前記絶縁台は、金属材のシールドアース部品を定位設置し、該シールドアース部品は二シールドアース片を一体に設置し、該二シールドアース片間隔を形成し、且つ各々少なくとも一接触部を設置して該二連接面から露出することを特徴とする請求項４記載の双方向コネクタ。
【請求項１０】
前記絶縁台の基台は中間に金属仕切板を設置し、該金属仕切板は該二端子組を分割し、該金属仕切板の両側にはそれぞれ弾性フックを設置し、該二弾性フックは左右にバネ運動し且つ自由端に近く、それらは一側に内向きに突出するフック凸部を設置し該連接槽二側に位置することを特徴とする請求項４記載の双方向コネクタ。
【請求項１１】
前記双方向コネクタは、以下ａからｇのうちの一もしくは一以上が組み合わさるものであり、
ａ．そのうち該金属仕切板は少なくとも一ピンを設置して電気連接によってシールドアースを形成し、
ｂ．そのうち該弾性フック後端は板面が該金属仕切板に垂直連接し、
ｃ．そのうち該フック凸部は該連接槽の中心の高さに位置し、
ｄ．そのうち前記フック凸部の高さは該金属仕切板の材料の厚みより高く、且つ該弾性フックは折曲部を設置して前段と後端に上下の段差を形成し、
ｅ．そのうち前記フック凸部の高さは該金属仕切板の材料の厚みより高く、且つ該弾性フックは折曲部を設置して前段と後端に上下の段差を形成し、該弾性フック後端は板面が該金属仕切板に垂直連接し、
ｆ．そのうち前記フック凸部の高さは該金属仕切板の材料の厚みより高く、且つ該弾性フックは折曲部を設置して前段と後端に上下の段差を形成し、該弾性フックの板面と該金属仕切板の板面は同じ厚みで且つ同一平面を形成し、該フック凸部は板面を引くことで比較的高い高度を形成し、
ｇ．そのうち前記フック凸部の高さは該金属仕切板の材料の厚みより高く、且つ該弾性フックは折曲部を設置して前段と後端に上下の段差を形成し、該フック凸部の中心の高さは該金属仕切板の厚み中心に位置することを特徴とする請求項１０記載の双方向コネクタ。
【請求項１２】
前記双方向コネクタは更に後シールドケースを設置し、該後シールドケースは金属材であり且つ該金属筐体後段及び該絶縁台後段を被覆し、該後シールドケース内部は納置スペースを形成し且つ前端には接続口を設置し、該接続口は該金属筐体後段を嵌合し、且つ該後シールドケースは上下にはそれぞれ継ぎ目がない納置室を形成し、該上下継ぎ目がない納置室は、該納置スペースを形成することを特徴とする請求項１記載の双方向コネクタ。
【請求項１３】
前記双方向コネクタは以下のａからｈのうちの一もしくは一以上を組み合わせたものであり、
ａ．そのうち該後シールドケースは後端に接続口を設置し、
ｂ．そのうち該後シールドケースの二納置室は金属片引き伸ばし成型とするか、もしくは金属ダイカスト成型とするか、もしくは金属粉末射出成型とし、
ｃ．そのうち該後シールドケースの二筐体の左右のうち一側は相互に連接し且つ別側は相互に重合し、
ｄ．そのうち該後シールドケース内は回路基板及び電子ユニットを設置し、該少なくとも一端子組の端子及び電子ユニットはすべて該回路基板に電気連接し、該回路基板によって該少なくとも一端子組の端子と電子ユニットを電気連接し、
ｅ．そのうち該金属筐体の後段は該四面包主筐体よりも上下に凸起した凸筺を設置し、該接続口は該四面包主筐体後段に掛合し、該接続口の高さは該納置スペースの高さより低く、
ｆ．そのうち該金属筐体の後段は該四面包主筐体よりも上下に凸起した凸筺を設置し、該接続口は該凸筺に掛合し、
ｇ．そのうち該後シールドケースは後端に別の接続口を設置し、該別の接続口は変換のコネクタの金属筐体後段を掛合し、該後シールドケース内は回路基板を設置し、該少なくとも一端子組の端子及び該変換のコネクタはすべて該回路基板に電気連接し、該回路基板によって該少なくとも一端子組の端子と該変換のコネクタを電気連接し、相互に転送し、  ｈ．そのうち該少なくとも一端子組は二端子組であり、該二端子組の端子の接触部はそれぞれ該二連接面に位置することを特徴とする請求項２もしくは１２記載の双方向コネクタ。
【請求項１４】
前記双方向コネクタにおいて、該後シールドケースは上下接合する二筐体により組成し、該二筐体には、それぞれ継ぎ目がない納置室を設置し、該納置室の周辺には接合板を設置し、該両筐体の接合板は上下接合することを特徴とする請求項２もしくは１２記載の双方向コネクタ。
【請求項１５】
前記双方向コネクタは、以下ａからｄのうち一もしくは一以上を組み合わせるもので、  ａ．そのうち該後シールドケースの一筐体の接合板は掛合片を設置して別の筐体の接合板を掛合し、
ｂ．そのうち該後シールドケースの筐体の接合板は垂直で折辺を設置して別の筐体の接合板外側に遮蔽し、
ｃ．そのうち該後シールドケースの二筐体の接合板はレーザー溶接(レーザー)によって熱溶接結合し、接合箇所を隙間なく接合するか、もしくは二筐体の接合板は局部スポット溶接で結合し、
ｄ．そのうち該後シールドケースの二筐体の一辺の接合板は相互の連接し折曲して接合することを特徴とする請求項１４記載の双方向コネクタ。
【請求項１６】
前記双方向コネクタにおいて、以下のａからｐのうちの一もしくは一以上を組み合わせたものであり、
ａ．そのうち該絶縁台の基台の中間には金属仕切板を設置し、該金属仕切板は該二端子組を分割し、
ｂ．そのうち該二端子組の接触部は同じ接触インターフェイスであり、
ｃ．そのうち該金属筐体の四面包主筐体は上下対称であり且つ左右対称であり、
ｄ．そのうち該二端子組は、該絶縁台とインサート成形して固定し、
ｅ．そのうち該二端子組の接触部の同じ接点回路ナンバーは相互に逆方向で排列し、
ｆ．そのうち該二端子組の接触部上下対称で、
ｇ．そのうち該二端子組の接触部はすべて等間隔で排列し、
ｈ．そのうち該二端子の接触部の接点の回路ナンバーは少なくとも一対の同じ回路ナンバーの接点が相互に反転排列し、
ｉ．そのうち該絶縁台の基台は後端にスリーブ接続槽を設置し、該スリーブ接続槽は回路基板を掛合定位し、該回路基板は複数の回路接点を設置し、該二端子組の端子はピンを設置して複数の回路接点を電気連接し、
ｊ．そのうち第二金属筺を設置して該金属筐体と接続し、該第二金属筺は四面包筐体を設置し、該四面包筐体は該四面包主筐体を嵌合して接続し、
ｋ．そのうち該二連接板は同じ高さであり、
ｌ．そのうち更に外覆体を設置して金属筐体後段を被覆し、
ｍ．そのうち該接続部の左右両側にはそれぞれ金属材のフックを設置し、該フックは、接続するコネクタのフックと掛合固定し、
ｎ．そのうち該接続構造の形状は両側円弧形であり、
ｏ．そのうち該二端子組は該絶縁台とインサート成形固定し、該基台の上下面はそれぞれ少なくとも一列の凹孔を形成し、各凹孔の上下方向は端子の固定部に対応し、
ｐ．そのうち該二端子組の端子の接触部はそれぞれ該二連接面が突出し、該絶縁台の基台は直接重合した第一基台及び第二基台を設置し、該二端子組はそれぞれ該第一、二基台にインサート成形固定設置し、該第一、二基台はそれぞれ少なくとも一列の穿孔を形成し、各端子の固定部は、穿孔を垂直に挿入することを特徴とする請求項４記載の双方向コネクタ。
【請求項１７】
前記バネ運動スペースは絶縁層構造の底面を設置し、端子の接触部の内端の延長部は支点を設置して該底面に当接し、該支点外端の延長部は該底面に当接せず、該接触部が圧力を受けて該底面に向けてバネ運動した時、該支点作用によって該接触部が比較的大きな順方向力を形成することを特徴とする請求項１記載の双方向コネクタ。
【請求項１８】
前記双方向コネクタは、更に転送媒体を設置し、第二コネクタに転送することを特徴とする請求項１もしくは２もしくは３記載の双方向コネクタ。
【請求項１９】
前記双方向コネクタは、以下のａからｄのうちの一もしくは一以上が組み合わさるものであり、
ａ．そのうち更に接点切り換え整合装置を設置し、双方向コネクタの接触インターフェイスと第二コネクタの接触インターフェイスによって整合して相互に切り換え、
ｂ．そのうち該第二コネクタは双方向に接続できるオス端子もしくはメス端子であり、  ｃ．そのうち該転送媒体はパッチコード、もしくは回路基板であり、
ｄ．そのうち該第二コネクタはオス端子もしくはメス端子であることを特徴とする請求項１８記載の双方向コネクタ。
【請求項２０】
前記双方向コネクタは、以下のａからｆのうちの一もしくは一以上が組み合わさるものであり、
ａ．そのうち該アース部品はシールドアース部品であり、該二アース部品の少なくとも一つの接触部は、それぞれ該二連接面から該連接槽まで突出し、
ｂ．そのうち該二連接板は共に、該アース部品をインサート形成し、
ｃ．そのうち該少なくとも一つの連接板には、少なくとも一つの開口を設置し、該アース部品の少なくとも一つの接触部は該少なくとも一つの開口を通過し、該連接槽まで突出し、
ｄ．そのうち該アース部品の少なくとも一つ接触部は挿入口から後ろへと延び、
ｅ．そのうち該少なくとも一端子組は二端子組であり、該二端子組の端子の接触部はそれぞれ該二連接面に位置し、
ｆ．少なくとも一連接板は連接面が凹んだ一列間隔に排列したバネ運動スペースを設置し、該各端子組の端子の延長部は連接面のバネ運動スペースまで延び、且つ接触部は該連接面から突出し、該接触部は上下にバネ運動し、該各端子組の端子の接触部は共に、連接面から該連接槽まで突出し、該連接板のバネ運動スペースは絶縁層構造の底面を備えて該金属筐体と分けることを特徴とする請求項３記載の双方向コネクタ。